(57)【要約】  個人の健康管理方法を提供する。本方法は、セットトップボックス（１０２）をネットワーク（１１０、１１４）並びに少なくとも１つのテレビディスプレイ（１０４）及びスピーカー（１０６）に接続する段階；及び個人の健康特性を１つ以上の無線センサー（１０８）からセットトップボックス（１０２）へ無線で送信する段階を有する。遠隔ネットワークは、インターネット（１１０）で良い。本方法はまた、セットトップボックスを遠隔局（１２４）に、ネットワーク（１１０）を通じて、機能的に接続する段階を更に有する。遠隔局（１２４）は、医療専門家の場所にあって良い。
2007505676.tif 000002
【特許請求の範囲】
【請求項１】
個人の健康管理システムであって；
少なくとも１つのテレビディスプレイ及びスピーカーに機能的に接続され、ネットワークに更に機能的に接続されているセットトップボックス；及び
前記セットトップボックスに無線で接続されており、個人の健康特性を測定し、同一の特性を前記セットトップボックスへ送信する、１つ以上の無線センサー；
を有する、健康管理システム。
【請求項２】
前記ネットワークはインターネットである、請求項１記載の健康管理システム。
【請求項３】
前記セットトップボックスに前記ネットワークを通じて機能的に接続される遠隔局を更に有し、前記健康特性は前記セットトップボックスから前記遠隔局へ前記ネットワークを通じて送信される、請求項１記載の健康管理システム。
【請求項４】
前記遠隔局は医療専門家の場所にある、請求項３記載の健康管理システム。
【請求項５】
遠隔局を経由して前記セットトップボックスの制御下にある少なくとも１つの機能を有する、少なくとも１つの医療機器を更に有する、請求項３記載の健康管理システム。
【請求項６】
前記セットトップボックスは、前記ネットワークを通じる以外に医療専門家と連絡する手段を有する、請求項１記載の健康管理システム。
【請求項７】
前記セットトップボックスに前記ネットワークを通じ機能的に接続される遠隔局を更に有し、前記医療専門家と連絡する命令は前記遠隔局において生成される、請求項６記載の健康管理システム。
【請求項８】
前記セットトップボックスは、前記テレビディスプレイ及びスピーカーの１つで、少なくとも１つの服用するべき薬の種類、服用するべき薬の１回分、及び服用するべき薬の説明を個人に警告する手段を有する、請求項１記載の健康管理システム。
【請求項９】
個人のビデオ信号を前記遠隔局へ送信するよう、前記セットトップボックスに機能的に接続される少なくとも１つのビデオカメラを更に有する、請求項３記載の健康管理システム。
【請求項１０】
前記テレビディスプレイ上に表示するために、前記医療専門家のビデオ信号を前記セットトップボックスへ送信するよう、前記医療専門家の前記場所に機能的に接続される少なくとも１つのビデオカメラを更に有する、請求項４記載の健康管理システム。
【請求項１１】
個人の健康管理方法であって；
セットトップボックスを、ネットワーク並びに少なくとも１つのテレビディスプレイ及びスピーカーに機能的に接続する段階；及び
個人の健康特性を１つ以上の無線センサーから前記セットトップボックスへ無線で送信する段階；
を有する、健康管理方法。
【請求項１２】
前記機能的に接続する段階は、前記セットトップボックスをインターネットに接続する段階を有する、請求項１１記載の健康管理方法。
【請求項１３】
前記セットトップボックスを遠隔局へ、前記ネットワークを通じて機能的に接続する段階を更に有し、前記健康特性は、前記セットトップボックスから前記遠隔局へ前記ネットワークを経由して送信される、請求項１１記載の健康管理方法。
【請求項１４】
前記セットトップボックスを前記遠隔局に機能的に接続する段階は、前記セットトップボックスを医療専門家に接続する段階を有する、請求項１３記載の健康管理方法。
【請求項１５】
医療機器の少なくとも１つの機能を、前記セットトップボックスから前記遠隔局を経由して制御する段階を更に有する、請求項１３記載の健康管理方法。
【請求項１６】
前記ネットワークを通じる以外に、前記セットトップボックスから医療専門家と連絡する段階を更に有する、請求項１１記載の健康管理方法。
【請求項１７】
前記遠隔局は、前記セットトップボックスと前記ネットワークを通じて機能的に接続され、前記遠隔局から前記医療専門家と連絡するよう命令を発行する段階を更に有する、請求項１６記載の健康管理方法。
【請求項１８】
前記テレビディスプレイ及びスピーカーの１つで、前記セットトップボックスから、少なくとも１つの服用するべき薬の種類、服用するべき薬の１回分、服用するべき薬の説明を個人に警告する段階を更に有する、請求項１１記載の健康管理方法。
【請求項１９】
個人のビデオ信号を前記セットトップボックスから前記遠隔局へ送信する段階を更に有する、請求項１３記載の健康管理方法。
【請求項２０】
前記医療専門家のビデオ信号を前記遠隔局から前記セットトップボックスへ送信し、前記ビデオ信号を前記テレビディスプレイ上に表示する段階を更に有する、請求項１４記載の健康管理方法。
【請求項２１】
前記健康特性を、救急車へ無線ネットワークを通じて無線で送信する段階を更に有する、請求項１１記載の健康管理方法。
【請求項２２】
前記健康特性の周期を前記セットトップボックス内の記憶装置に格納する段階；及び
前記格納された健康特性の少なくとも一部を、前記記憶装置から、個人の診断のために検索する段階を更に有する、請求項１１記載の健康管理方法。
【発明の詳細な説明】
【技術分野】
【０００１】
本発明は、一般的に健康管理に関連し、より詳細にはセットトップボックスを通じた個人の健康管理システムに関する。
【背景技術】
【０００２】
高齢者のような人々は自宅において監督を必要とする。一般的に看護婦のような医療（又は健康管理）専門家は、個人の自宅における健康を管理する。しかしながらそのような健康管理の専門家による監督は、非常に高価である。更に、ある場合には、監視が必要とされる間、健康管理専門家による全時間の監督は必要ない場合がある。
【０００３】
従来知られているコンピューターを利用した技術には、個人の健康管理を行うパーソナルコンピュータ等がある。しかしながら、コンピューターは常に作動しておらず、常に個人の家の便利な場所に置かれておらず、またキーボードやマウス等の種々の入力装置を通じて比較的複雑な入力を必要とするので、そのようなシステムは非常に使い易くはない。
【発明の開示】
【発明が解決しようとする課題】
【０００４】
本発明の目的は、従来の健康管理システムの不利点を克服する健康管理システムを提供することである。
【課題を解決するための手段】
【０００５】
個人の健康管理システムを提供する。本システムは、少なくとも１つのテレビディスプレイ及びスピーカーと機能的に接続され、ネットワークに更に機能的に接続されるセットトップボックス、個人の健康特性を測定し、同一の信号を前記セットトップボックスに送信し、前記セットトップボックスに無線接続されている１つ以上の無線センサーを有する。
【０００６】
本システムは、前記セットトップボックスに前記ネットワークを通じて機能的に接続される遠隔局を更に有し、前記健康特性は、前記セットトップボックスから前記遠隔局へ前記ネットワークを通じて送信される。前記遠隔局は、医療専門家の場所に設置されて良い。その場合、本システムは、前記遠隔局を経由して、前記セットトップボックスの制御下にある、少なくとも１つの機能を有する、少なくとも１つの医療機器を更に有して良い。
【０００７】
前記セットトップボックスは、前記ネットワークを通じる以外に、医療専門家と連絡する手段を有して良い。その場合、本システムは、前記セットトップボックスに前記ネットワークを通じて機能的に接続される遠隔局を有し、前記医療専門家に連絡する命令は前記遠隔局において生成される。
【０００８】
前記セットトップボックスは、少なくとも１つの服用するべき薬の種類、服用するべき薬の一回分、及び服用するべき薬の説明を、前記テレビディスプレイ及びスピーカーの１つで、個人に警告する手段を有する。
【０００９】
本システムが、前記セットトップボックスに前記ネットワークを通じて機能的に接続される遠隔局を更に有する場合、本システムは、個人のビデオ信号を前記遠隔局へ送信するよう前記セットトップボックスに機能的に接続される少なくとも１つのビデオカメラを更に有して良い。
【００１０】
前記遠隔局が医療専門家の場所にある場合、本システムは、前記医療専門家のビデオ信号を前記テレビディスプレイ上に表示するために前記セットトップボックスへ送信するよう、前記医療専門家の場所に機能的に接続される、少なくとも１つのビデオカメラを更に有して良い。
【００１１】
また、個人の健康管理方法を提供する。本方法は、セットトップボックスをネットワーク及び少なくとも１つのテレビディスプレイ、スピーカーに機能的に接続する段階、個人の健康特性を前記１つ以上の無線センサーから前記セットトップボックスへ無線で送信する段階を有する。前記機能的な接続は、前記セットトップボックスをインターネットへ接続する段階を有して良い。
【００１２】
本方法は、前記セットトップボックスを遠隔局に、前記ネットワークを通じて機能的に接続する段階を更に有し、前記健康特性は、前記セットトップボックスから前記遠隔局へ前記ネットワークを経由して送信される。前記遠隔局への前記セットトップボックスの機能的な接続は、前記セットトップボックスを医療専門家に接続する段階を有して良い。本方法は、医療機器の少なくとも１つの機能を、前記セットトップボックスから前記遠隔局を経由して制御する段階を更に有して良い。
【００１３】
本方法は、前記ネットワークを通じる以外に、前記セットトップボックスから医療専門家に連絡する段階を更に有して良い。前記遠隔局は、前記セットトップボックスに前記ネットワークを通じて機能的に接続され、前記連絡する段階は、前記遠隔局から前記医療専門家に連絡する指示を発行する段階を有して良い。
【００１４】
本方法は、個人に、前記テレビディスプレイ及びスピーカーの１つで、少なくとも１つの服用するべき薬の種類、服用するべき薬の一回分、及び服用するべき薬の説明を警告する手段を更に有して良い。
【００１５】
本システムが、前記セットトップボックスに前記ネットワークを通じて機能的に接続される遠隔局を更に有する場合、本方法は、個人のビデオ信号を前記セットトップボックスから前記遠隔局へ送信する段階を更に有して良い。
【００１６】
前記遠隔局が医療専門家の場所にある場合、本方法は前記医療専門家のビデオ信号を前記遠隔局から前記セットトップボックスへ送信し、前記ビデオコンテンツを前記テレビディスプレイ上に表示する段階を更に有して良い。
【００１７】
本方法は、前記健康特性を、救急車へ無線ネットワークを通じて無線で送信する段階を更に有して良い。
【００１８】
本方法は、前記健康特性の周期を前記セットトップボックス内の記憶装置に格納する段階、前記格納された健康特性の少なくとも一部を、前記記憶装置から、個人の診断のために検索する段階を更に有して良い。
【発明の効果】
【００１９】
本発明の装置及び方法のこれらの及び他の特徴、特長、及び利点は、以下の説明、請求項、及び図を参照してより理解されるだろう。
【実施例】
【００２０】
図１は、個人の健康管理システムを示す。このシステムは参照符号１００を付される。システム１００は、少なくとも１つのテレビディスプレイ１０４及びスピーカー１０６に機能的に接続されるセットトップボックス１０２を有する。システム１００は、テレビディスプレイ１０４及びスピーカー１０６の両方を有することが望ましい。更に、スピーカー１０６は、テレビディスプレイ１０４と一体化又はサラウンド・サウンド／ホームシアターシステムのように分離されてよい。セットトップボックス１０２はまた、以下に説明される機能に加え、ケーブルテレビのチューナー又はＰＶＲ（パーソナルビデオレコーダー）等のテレビに関連した他の機能のために利用されても良い。
【００２１】
本システムはまた、１つ以上の無線センサー１０８を有し、個人の健康特性を測定し、同一の信号をセットトップボックス１０２へ無線で送信する。健康特性は、個人の生体信号、ハート・モニター、又は血糖値等の如何なる健康に関連する特性であって良い。無線センサー１０８は、ＲＦ又は赤外線等の如何なる無線媒体を通じて、及びＢｌｕｅｔｏｏｔｈ、ＲＦＩＤ、又はＺｉｇｂｅｅ等の如何なる無線プロトコルによってセットトップボックス１０２と通信しても良い。無線センサー１０８は、軽量で個人により装着可能な、又は重量で単独型の装置であって良い。
【００２２】
図２は、セットトップボックス１０２の詳細な図である。セットトップボックス１０２は、インターネット１１０等のネットワークに、モデム１１２を通じて更に機能的に接続される。但し、電話サ―ビス（ＰＯＴＳ）１１４、携帯電話、及び衛星等の他の遠隔ネットワークも可能である。単一のモデム１１２は図２に示されるが、当業者は１つ以上のモデムが利用されて良く、各モデムは異なるネットワークへの接続に特化して良い事を理解するだろう。例えば、ケーブルモデムを用いインターネット１１０に接続して良く、ダイヤルアップモデムを用い電話網１１４に接続して良い。インターネット１１０を用い、医師、病院、看護婦、歯科医、及び類するものを含む医療専門家等の、データホスト１２２、又は遠隔局１２４に接続して良い。電話網１１４を用い、そのような医療専門家に接続しても良く、救急医療師又は救急車サービス等の救急サービス１２６に更に連絡して良い。また電話網１１４を用い、途上で個人と携帯電話リンクを利用して、救急隊員と連絡して良い。救急隊員は、個人が到着する前に、個人の生体信号又は他の健康特性を見ることができ、適切に準備できる。
【００２３】
セットトップボックス１０２はまた、ハードドライブ等の記憶装置１１６を有し、セットトップボックス１０２の他の機能と同様に、本発明の方法を実行するプログラム命令を格納する。記憶装置１１６はまた、ビデオコンテンツ及び／又はユーザープロファイルを格納するために用いられて良い。記憶装置１１６は単一の装置として示されるが、当業者は、記憶装置１１６は複数の記憶装置であって良く、各記憶装置は異なる型のデータの格納に特化して良いことを理解するだろう。セットトップボックス１０２は、アンテナ１１８により示される送信部／受信部を更に有する。アンテナ１１８は、無線センサー１０８から無線信号を受信し、この信号は必要ならば処理装置１２０により有用な信号に加工、フォーマット、及び／又は変換される。処理装置１２０はまた、従来技術で既知のように、モデム１１２、記憶装置１１６、テレビディスプレイ１０４，及びスピーカー１０６を制御する。アンテナ１１８はまた、以下に説明されるような他の機器の制御のために、他の機器に信号を送信して良い。アンテナ１１８は、無線センサー１０８と一緒に利用されることに特化して良く、又はセットトップボックス１０２の他の機能と組み合わせて利用されて良く、遠隔制御部（図示されていない）からの無線信号を受信し、セットトップボックス１０２と共に利用して良い。遠隔制御部を用い、セットトップボックス１０２を制御して良く、従来技術で既知のように適切なユーザーインタフェースを通じて、情報をセットトップボックス１０２へ入力して良い。
【００２４】
再び図１を参照すると、システム１００は、医療機器１２８を更に有して良く、セットトップボックス１０２を経由して、例えば医師により、遠隔局１２４から医療機器を制御する。医療機器１２８は、遠隔局１２４経由でセットトップボックス１０２の制御下にある、少なくとも１つの機能を有する。このような医療機器１２８の例として、ハートモニターシステム、血圧測定器、脳モニター、及び人工呼吸システム（酸素タンクの状態）がある。
【００２５】
システム１００はまた、セットトップボックス１０２の場所に設置され処理装置１２０に機能的に接続される、１つ以上のビデオカメラ１３０を備えて良い。カメラ１３０は、監視されている個人の画像又はビデオを撮る際に有用である。カメラ１３０は、個人の家の１つ以上の部屋に備えられて良く、パン・チルト・ズーム機能を有して良く、個人が部屋内を移動するにつれ、その個人を追跡する。カメラ１３０は、個人を認識し追跡できる認識システムの制御下にあって良く、個人をカメラ１３０の視界内に保持するようカメラのパン・チルト・ズームモーターを制御されて良い。このような認識システムは、従来技術において既知である。システム１００はまた、遠隔局に１つ以上のカメラ１３２を有し、遠隔局における医療専門家等の個人の画像又はビデオを撮る。遠隔局１２４にあるカメラ１３２は、カメラ１３０と共に、以上に説明されたパン・チルト・ズーム及び認識機能を有して良い。
【００２６】
個人の健康管理方法は、図１及び図２を参照して説明される。以上に説明したように、セットトップボックス１０２はインターネット１１０等のネットワークと、医療専門家等の遠隔局１２４と、モデム１１２を経由して機能的に接続されている。セットトップボックス１０２はまた、少なくとも１つのテレビディスプレイ１０４及びスピーカー１０６、又は望ましくは両方と、処理装置１２０を経由して機能的に接続される。セットトップボックス１０２は、センサー１０８に、アンテナ１１８及び処理装置１２０を経由して無線で更に接続される。センサー１０８は個人の健康特性を検出し、セットトップボックスに健康特性に関連する信号を送信する。健康特性は、セットトップボックス１０２から、遠隔局１２４へ、ネットワーク１１０を経由して送信される。ネットワークでは、健康特性は医師等の遠隔局１２４において、個々にアクセスできる。健康特性は、リアルタイムにアクセスでき、従って、迅速で適宜な決定、提案、助言、等を、監視されている人にとって一番利益になるよう行えるようにする。医師は、通常はディスプレイ画面上で、個人の生体信号等の健康特性情報にアクセスするだろう。ディスプレイ画面は、ネットワーク１１０に機能的に接続されるコンピュータ（図示されない）の部分であることが望ましい。個人の健康特性の履歴は、記憶装置１１６に格納でき、医師又は他の健康管理専門家が個人を訪問する又は主治医に連れて行く場合に、個人がその医師又は他の医師を訪問する場合に、医師又は他の健康管理専門家によりアクセス（例えば、印刷）できる。
【００２７】
以上に説明したように、遠隔局１２４の医療専門家は、セットトップボックス１０２に指示し、緊急サービス１２６のような他の医療専門家に、電話網１１４のような他のネットワークを通じて連絡できる。従って、医師が検出された健康特性に基づき、危機的状況が差し迫っていることに気付いた場合、医師はセットトップボックス１０２に指示し、救急車に連絡して良い。緊急サービスの連絡先は、適切なユーザーインターフェースを通じて、予め記憶装置１１６に格納される。本システム１００はまた、テレビディスプレイ１０４又はスピーカー１０６の１つで、セットトップボックス１０２から、少なくとも１つの服用するべき薬の種類、服用するべき薬の１回分、及び／又は服用するべき薬の説明を、個人に警告できる。例えば、セットトップボックスは、テレビディスプレイ１０４に指示でき、個人により服用される薬の画像を表示し、個人に薬を服用する事を思い出させる。セットトップボックスはまた、テレビディスプレイ１０４に指示でき、その服用するべき薬の量に関する指示を表示する。その指示はまた、スピーカー１０６上で再生できる。服用するべき薬の種類、服用するべき薬の１回分、及び／又は服用するべき薬の説明の、個人への警告は、遠隔局１２４（例えば、個人の監視された生体信号に基づき医師から）において個々に起動されて良い、又は毎日の注意喚起として適切なインターフェースを通じてセットトップボックスにプログラムされて良い。
【００２８】
システム１００は、遠隔局（例えば、医師）の個人と、カメラ１３０、１３２を用いて監視されている個人との間のテレビ会議を提供するために利用されても良い。従って、カメラ１３０からの個人のビデオ信号は、セットトップボックス１０２から遠隔局へ、ネットワーク１１０を経由して送信され、そして遠隔局１２４のディスプレイ装置（図示されない）に表示される。同様に、カメラ１３２からの医療専門家のビデオ信号は、遠隔局１２４からセットトップボックス１０２へ送信され、テレビディスプレイ１０４上に表示される。このように、医療専門家及び監視されている個人は、テレビ会議を行うことができる。
【００２９】
医療専門家はまた、医療機器１２８の少なくとも１つの機能を、セットトップボックス１０２から、遠隔局１２４を経由して、検出された健康特性に基づき制御できる。例えば、医療機器１２８が人工呼吸システムである場合、遠隔局１２４において医師は、検出された健康特性に応じて、個人の酸素比率を制御できる。
【００３０】
本システム１００はまた、センサー１０８から送信される健康特性の周期を格納するために利用できる。例えば、セットトップボックスは、先入れ先出し法に基づき、送信された健康特性の前回の時間を格納できる。この周期の長さは、遠隔操作を通じて、テレビディスプレイ１０４上に表示される適切なユーザーインターフェースを経由して、プログラムできる。そして、格納された健康特性は、後に医師及び救急医療師などの健康管理専門家により、インターネット等の遠隔ネットワークを通じて、電話網１１４等の無線接続を通じて、又はセットトップボックス１０２上のコネクター（図示されない）から等のセットトップボックス１０２から直接、検索できる。
【００３１】
当業者は、本発明のシステム１００は、従来既知のコンピューターに基づく健康管理システムに利益を提供する事を理解するだろう。それら利益には以下が含まれる。
【００３２】
（ａ）セットトップボックス１０２は、待機状態を維持でき、テレビディスプレイ１０４又はスピーカー１０６がオフの場合、それらを「起こす」ことができ、
（ｂ）指示は、例えば、遠隔操作又は適切なユーザーインターフェースを通じて、セットトップボックス１０２に比較的簡単に入力でき、
（ｃ）テレビディスプレイ１０４がオフの場合、システム１００は、スピーカー１０６を通じて依然として動作できる。
【００３３】
本発明の好適な実施の形態と考えられる事を示し説明したが、勿論、本発明の精神から逸脱することなく、形状又は詳細において種々の変形及び変更が容易にできることが理解されるだろう。従って、本発明は説明及び図示された正確な形式に制限されず、請求の範囲に含まれる全ての変形を包含するものとする。
【図面の簡単な説明】
【００３４】
【図１】健康管理システムのある実施例を示すブロック図である。
【図２】図１のシステムと共に利用するためのセットトップボックスのブロック図である。
【図１】
2007505676.tif 000003
【図２】
2007505676.tif 000004
【国際調査報告】
2007505676.tif 000005
2007505676.tif 000006
2007505676.tif 000007